(57)【要約】【課題】カバーの端部近傍で装飾表示ができる、電光表示装置を提供する。【解決手段】行列状に配列され、かつ上方に向けて配置された複数の発光素子５ａ〜５ｆからなり、前記複数の発光素子５ａ〜５ｆのオン又はオフによって画像情報を表示する情報表示部７と、前記情報表示部７の周囲に配列され、かつ側方に向けて配置された複数の発光素子８ａ〜８ｊからなる装飾表示部１２とを具備した。【選択図】図１
2005181666.tif 000002
【特許請求の範囲】
【請求項１】
行列状に配列され、かつ上方に向けて配置された複数の発光素子からなり、前記複数の発光素子のオン又はオフによって画像情報を表示する情報表示部と、前記情報表示部の周囲に配列され、かつ側方に向けて配置された複数の発光素子からなる装飾表示部とを具備した事を特徴とする電光表示装置。
【請求項２】
前記情報表示部を覆い、前記装飾表示部を覆い、透明な材質からなるカバーを設け、前記装飾表示部の外周に位置する様に、前記カバーにＶ字溝を設け、前記装飾表示部を構成する前記複数の発光素子からの光が前記Ｖ字溝の傾斜した側面にて反射され、上方に向かう様に構成した事を特徴とする請求項１の電光表示装置。
【請求項３】
前記カバーは、上カバーと、下カバーと、横カバーと、隅カバーとからなり、前記上カバーと、前記下カバーと、前記横カバーと、前記隅カバーとにより、閉じられた空間を構成する事を特徴とする請求項２の電光表示装置。
【請求項４】
前記横カバーに傾斜した側面を設け、前記装飾表示部を構成する前記複数の発光素子からの光が前記側面にて反射され、上方に向く様に構成した事を特徴とする請求項３の電光表示装置。
【請求項５】
前記カバー内に基台と、固定板とを設け、前記情報表示部の前記複数の発光素子を固定する第１回路基板と、前記装飾表示部の前記複数の発光素子を固定する第２回路基板とを設け、前記両回路基板は共に前記固定板に固定され、前記固定板は前記基台に固定された事を特徴とする請求項２の電光表示装置。
【請求項６】
前記装飾表示部を構成する前記複数の発光素子の上方を覆う様に、前記固定板に遮光性の水平部を設けた事を特徴とする請求項５の電光表示装置。
【発明の詳細な説明】
【技術分野】
【０００１】
本発明は電光表示装置に関する。
【背景技術】
【０００２】
従来、この種の装置は、例えば特許文献１に示されている。この特許文献１の図１によると、中央部に情報表示部１と、周辺部に装飾表示部２と、これらの表示部１，２を覆うカバーとが設けられている。
【特許文献１】特開２００３−３６０４５号公報
【発明の開示】
【発明が解決しようとする課題】
【０００３】
しかし、カバーの端部近傍は、斜め又は曲線状に形成されているため、装飾表示部２を構成する複数の発光素子は、カバー（外枠）の端部の近くに配置できない、という問題がある。そのため、カバーの端部近傍で表示できないので、表示の表現力が欠ける、欠点がある。故に、本発明はこの様な従来の欠点を考慮し、カバーの端部近傍で装飾表示ができる、電光表示装置を提供する。
【課題を解決するための手段】
【０００４】
上記課題を解決するために、請求項１の本発明では、行列状に配列され、かつ上方に向けて配置された複数の発光素子からなり、前記複数の発光素子のオン又はオフによって画像情報を表示する情報表示部と、前記情報表示部の周囲に配列され、かつ側方に向けて配置された複数の発光素子からなる装飾表示部とを具備した。
【０００５】
請求項２の本発明では、前記情報表示部を覆い、前記装飾表示部を覆い、透明な材質からなるカバーを設け、前記装飾表示部の外周に位置する様に、前記カバーにＶ字溝を設け、前記装飾表示部を構成する前記複数の発光素子からの光が前記Ｖ字溝の傾斜した側面にて反射され、上方に向かう様に構成した。
【０００６】
請求項３の本発明では、前記カバーは、上カバーと、下カバーと、横カバーと、隅カバーとからなり、前記上カバーと、前記下カバーと、前記横カバーと、前記隅カバーとにより、閉じられた空間を構成する。
【０００７】
請求項４の本発明では、前記横カバーに傾斜した側面を設け、前記装飾表示部を構成する前記複数の発光素子からの光が前記側面にて反射され、上方に向く様に構成した。
【０００８】
請求項５の本発明では、前記カバー内に基台と、固定板とを設け、前記情報表示部の前記複数の発光素子を固定する第１回路基板と、前記装飾表示部の前記複数の発光素子を固定する第２回路基板とを設け、前記両回路基板は共に前記固定板に固定され、前記固定板は前記基台に固定された。
【０００９】
請求項６の本発明では、前記装飾表示部を構成する前記複数の発光素子の上方を覆う様に、前記固定板に遮光性の水平部を設けた。
【発明の効果】
【００１０】
請求項１の本発明では、行列状に配列され、かつ上方に向けて配置された複数の発光素子からなり、前記複数の発光素子のオン又はオフによって画像情報を表示する情報表示部と、情報表示部の周囲に配列され、かつ側方に向けて配置された複数の発光素子からなる装飾表示部とを具備した。この様に、情報表示部の周辺に配列された装飾表示部を構成する複数の発光素子を側方に向けて配置する事により、外枠（カバー）の端部近傍で装飾表示ができる。
【００１１】
請求項２の本発明では、前記情報表示部を覆い、前記装飾表示部を覆い、透明な材質からなるカバーを設け、前記装飾表示部の外周に位置する様に、前記カバーにＶ字溝を設け、前記装飾表示部を構成する前記複数の発光素子からの光が前記Ｖ字溝の傾斜した側面にて反射され、上方に向かう様に構成した。この様に、装飾表示部の発光素子からの光が、カバーに設けられたＶ字溝の傾斜した側面にて反射され、上方に向かうので、この光はカバーの端部近傍で表示される。また、この光は上記側面からの光であるので、照光面積が広く、ぼんやりした感じにて視認され、表示の表現力が向上する。
【００１２】
請求項３の本発明では、前記カバーは、上カバーと、下カバーと、横カバーと、隅カバーとからなり、前記上カバーと、前記下カバーと、前記横カバーと、前記隅カバーとにより、閉じられた空間を構成する。この様に、上記複数のカバーにより、閉じられた空間が構成されるので、カバー内に配置された情報表示部および装飾表示部は防水対策が施される。
【００１３】
請求項４の本発明では、前記横カバーに傾斜した側面を設け、前記装飾表示部を構成する前記複数の発光素子からの光が前記側面にて反射され、上方に向く様に構成した。この様に、装飾表示部の発光素子からの光が、横カバーに設けられ、傾斜した側面にて反射され、上方に向かうので、この光はカバーの端部近傍で表示される。その結果、カバーの大きささは従来品と同じであっても、カバーの外周が大きく見えて、豪華なイメージを与える。
【００１４】
請求項５の本発明では、前記カバー内に基台と、固定板とを設け、前記情報表示部の前記複数の発光素子を固定する第１回路基板と、前記装飾表示部の前記複数の発光素子を固定する第２回路基板とを設け、前記両回路基板は共に前記固定板に固定され、前記固定板は前記基台に固定された。この様に、第１回路基板および第２回路基板は同一の固定板に固定されるので、部品点数が減り、組立て時間も減る。その結果、コストが安くなる。
【００１５】
請求項６の本発明では、前記装飾表示部を構成する前記複数の発光素子の上方を覆う様に、前記固定板に遮光性の水平部を設けた。この様に構成する事により、上記発光素子から直後に上方に向かう光は水平部に遮光されるので、不所望な、直後に上方に向かう光を減らすことができる。また、発光素子から直後に上方に向かう光は水平部にて反射されるので、側方に向かう光の強度が増し、側面で反射され、反射後に上方に向かう光（有効な光）の強度が増す。
【発明を実施するための最良の形態】
【００１６】
以下に、図１ないし図４に従い、本発明を実施するための最良の形態に係る電光表示装置１を説明する。図１は上記電光表示装置１の正面図、図２は図１のＡ１Ａ２断面図である。図３は電光表示装置１のブロック図、図４は電光表示装置１に用いられる制御部およびその周辺部品のブロック図である。
【００１７】
これらの図において、１個の表示体２ａを構成する回路基板３ａ上には、４８本の行電極と１６本の列電極（共に図示せず）が形成されている。各発光素子５ａは例えば１個の赤色発光ダイオードと、１個の緑色発光ダイオードと、１個の青色発光ダイオードとにより、構成されている。この様にして、縦が１６個、横が１６個、合計１６×１６＝２５６個の発光素子５ａは行列状に配列され、かつ上方に向けて配置されている。
【００１８】
表示部２ａの各列において、１６個の赤色発光ダイオードの各アノードは、第１行目、第４行目、…第４６行目の行電極に接続されている。各列において、１６個の緑色発光ダイオードの各アノードは、第２行目、第５行目、…第４７行目の行電極に接続されている。各列において、１６個の青色発光ダイオードの各アノードは、第３行目、第６行目、…第４８行目の行電極に接続されている。
【００１９】
第１行目、第４行目、…第４６行目の各行電極は、１個の赤色用定電流ドライバの各出力端子に接続されている。上記ドライバの入力側には、クロック信号Ｃと、データ信号Ｄ１が入力される。
【００２０】
第２行目、第５行目、…第４７行目の各行電極は、１個の緑色用定電流ドライバの各出力端子に接続されている。上記ドライバの入力側には、クロック信号Ｃが入力され、赤色用定電流ドライバを介して、データ信号Ｄ１が入力される。
【００２１】
第３行目、第６行目、…第４８行目の各行電極は、１個の青色用定電流ドライバの各出力端子に接続されている。上記ドライバの入力側には、クロック信号Ｃが入力され、緑色用定電流ドライバを介して、データ信号Ｄ１が入力される。
【００２２】
各列において、１６個の赤色発光ダイオードと、１６個の緑色発光ダイオードと、１６個の青色発光ダイオードの各カソードは共通化され、各々、第１列目、第２列目、…第１６列目の列電極に接続されている。
【００２３】
１６個の列電極は例えば、１個の点灯制御ドライバの各出力端子に接続されている。点灯制御ドライバの入力側には、スキャン信号Ｓが入力される。この点灯制御ドライバは、第１列目の列電極から第１６列目の列電極までを、順次、スキャン（走査）する様に構成されている。
【００２４】
上記赤色、緑色、青色用定電流ドライバに、データ信号Ｄ１が入力されると、これらのドライバは、第１行目の行電極から第４８行目の行電極に対し、パラレルにデータを出力する。上記構成により、データ信号Ｄ１に従って、２５６個の発光素子５ａ（即ち、７６８個の発光ダイオード）は、点灯（オン）または消灯（オフ）または階調される事により，表示部２ａは所定の表示を行う。
【００２５】
この様に、１個の赤色用定電流ドライバと、１個の緑色用定電流ドライバと、１個の青色用定電流ドライバと、１個の点灯制御ドライバとのより、１個のドライバ４ａが構成されている（図３参照）。ドライバ４ａは、制御部６から出力されたデータ信号Ｄ４に従って、表示部２ａに対し、所定の表示を行わせる。
【００２６】
同様に、表示部２ｂを構成する第１回路基板３ｂ上には、縦に１６個、横に１６個、合計１６×１６＝２５６個の発光素子５ｂが行列状に配置され、かつ上方（Ｙ１方向）に向けて配置されている。また、ドライバ４ｂはドライバ４ａと同一構造であり、ドライバ４ａに接続されている。ドライバ４ｂは、入力されたデータ信号Ｄ２に従って、表示部２ｂに対し、所定の表示を行わせる。
【００２７】
また、表示部２ｃを構成する第１回路基板３ｃ上には、縦に１６個、横に１６個、合計１６×１６＝２５６個の発光素子５ｃが行列状に配置され、かつ上方（Ｙ１方向）に向けて配置されている。また、ドライバ４ｃはドライバ４ａと同一構造であり、ドライバ４ｂに接続されている。ドライバ４ｃは、入力されたデータ信号Ｄ３に従って、表示部２ｃに対し、所定の表示を行わせる。
【００２８】
同様に、表示部２ｄを構成する第１回路基板３ｄ上には、縦に１６個、横に１６個、合計１６×１６＝２５６個の発光素子５ｄが行列状に配置され、かつ上方（Ｙ１方向）に向けて配置されている。また、ドライバ４ｄはドライバ４ａと同一構造であり、制御部６に接続されている。ドライバ４ｄは、入力されたデータ信号Ｄ４に従って、表示部２ｄに対し、所定の表示を行わせる。
【００２９】
また、表示部２ｅを構成する第１回路基板３ｅ上には、縦に１６個、横に１６個、合計１６×１６＝２５６個の発光素子５ｅが行列状に配置され、かつ上方（Ｙ１方向）に向けて配置されている。また、ドライバ４ｅはドライバ４ａと同一構造であり、ドライバ４ｄに接続されている。ドライバ４ｅは、入力されたデータ信号Ｄ５に従って、表示部２ｅに対し、所定の表示を行わせる。
【００３０】
同様に、表示部２ｆを構成する第１回路基板３ｆ上には、縦に１６個、横に１６個、合計１６×１６＝２５６個の発光素子５ｆが行列状に配置され、かつ上方（Ｙ１方向）に向けて配置されている。また、ドライバ４ｆはドライバ４ａと同一構造であり、ドライバ４ｅに接続されている。ドライバ４ｆは、入力されたデータ信号Ｄ６に従って、表示部２ｆに対し、所定の表示を行わせる。
【００３１】
情報表示部７は少なくとも、発光素子５ａ，５ｂ，５ｃ，５ｄ，５ｅ，５ｆ等を有している。即ち、情報表示部７は、行列状に配列され、かつ上方（Ｙ１方向）に向けて配置された複数の発光素子５ａ〜５ｆからなり、複数の発光素子５ａ〜５ｆのオン又はオフによって、画像情報を表示するものである。
【００３２】
表示部８ａを構成する第２回路基板９ａ上には、例えば直線状に、１８個の発光素子１０ａが配列され、かつ側方（Ｘ２方向）に向けて配列され、固定されている。また、駆動回路１１ａは、ドライバ４ｃに接続され、データ信号Ｄ７に従って、表示部８ａに対し、所定の表示を行わせる。この様に、発光素子１０ａは情報表示部７の周囲に配列されている。
【００３３】
表示部８ｂを構成する第２回路基板９ｂ上には、例えば直線状に、１８個の発光素子１０ｂが配列され、かつ側方（Ｘ３方向）に向けて配列され、固定されている。また、駆動回路１１ｂは、駆動回路１１ａに接続され、データ信号Ｄ８に従って、表示部８ｂに対し、所定の表示を行わせる。この様に、発光素子１０ｂは情報表示部７の周囲に配列されている。
【００３４】
表示部８ｃを構成する第２回路基板９ｃ上には、例えば直線状に、１８個の発光素子１０ｃが配列され、かつ側方（Ｘ３方向）に向けて配列され、固定されている。また、駆動回路１１ｃは、駆動回路１１ｂに接続され、データ信号Ｄ９に従って、表示部８ｃに対し、所定の表示を行わせる。この様に、発光素子１０ｃは情報表示部７の周囲に配列されている。
【００３５】
また、表示部８ｄを構成する第２回路基板９ｄ上には、例えば直線状に、１８個の発光素子１０ｄが配列され、かつ側方（Ｘ３方向）に向けて配列され、固定されている。また、駆動回路１１ｄは、駆動回路１１ｃに接続され、データ信号Ｄ１０に従って、表示部８ｄに対し、所定の表示を行わせる。この様に、発光素子１０ｄは情報表示部７の周囲に配列されている。
【００３６】
表示部８ｅを構成する第２回路基板９ｅ上には、例えば直線状に、１８個の発光素子１０ｅが配列され、かつ側方（Ｘ１方向）に向けて配列され、固定されている。また、駆動回路１１ｅは、駆動回路１１ｄに接続され、データ信号Ｄ１１従って、表示部８ｅに対し、所定の表示を行わせる。この様に、発光素子１０ｄは情報表示部７の周囲に配列されている。
【００３７】
また、表示部８ｆを構成する第２回路基板９ｆ上には、例えば直線状に、１８個の発光素子１０ｆが配列され、かつ側方（Ｘ２方向）に向けて配列され、固定されている。また、駆動回路１１ｆは、ドライバ４ｆに接続され、データ信号Ｄ１２に従って、表示部８ｆに対し、所定の表示を行わせる。この様に、発光素子１０ｆは情報表示部７の周囲に配列されている。
【００３８】
表示部８ｇを構成する第２回路基板９ｇ上には、例えば直線状に、１８個の発光素子１０ｇが配列され、かつ側方（Ｘ４方向）に向けて配列され、固定されている。また、駆動回路１１ｇは、駆動回路１１ｆに接続され、データ信号Ｄ１３に従って、表示部８ｇに対し、所定の表示を行わせる。この様に、発光素子１０ｇは情報表示部７の周囲に配列されている。
【００３９】
表示部８ｈを構成する第２回路基板９ｈ上には、例えば直線状に、１８個の発光素子１０ｈが配列され、かつ側方（Ｘ４方向）に向けて配列され、固定されている。また、駆動回路１１ｈは、駆動回路１１ｇに接続され、データ信号Ｄ１４に従って、表示部８ｈに対し、所定の表示を行わせる。この様に、発光素子１０ｈは情報表示部７の周囲に配列されている。
【００４０】
また、表示部８ｉを構成する第２回路基板９ｉには、例えば直線状に、１８個の発光素子１０ｉ配列され、かつ側方（Ｘ４向）に向けて配列され、固定されている。また、駆動回路１１ｉは、駆動回路１１ｈに接続され、データ信号Ｄ１５に従って、表示部８ｉに対し、所定の表示を行わせる。この様に、発光素子１０ｉは情報表示部７の周囲に配列されている。
【００４１】
表示部８ｊを構成する第２回路基板９ｊ上には、例えば直線状に、１８個の発光素子１０ｊが配列され、かつ側方（Ｘ１方向）に向けて配列され、固定されている。また、駆動回路１１ｊは、駆動回路１１ｉに接続され、データ信号Ｄ１６に従って、表示部８ｊに対し、所定の表示を行わせる。この様に、発光素子１０ｊは情報表示部７の周囲に配列されている。
【００４２】
装飾表示部１２は少なくとも、発光素子１０ａ，１０ｂ，１０ｃ，１０ｄ，１０ｅ，１０ｆ，１０ｇ，１０ｈ，１０ｉ，１０ｊを有している。即ち、装飾表示部１２は、情報表示部７の周囲に配列され、かつ、側方（Ｘ１，Ｘ２，Ｘ３，Ｘ４）に向けて配置された複数の発光素子１０ａ〜１０ｊを有している。
【００４３】
基台１３は例えばアルミニュウムの板等からなり、筒状に形成されている。固定板１４ａは遮光性の材質（例えば、金属板等）からなり、側方（Ｘ１方向）において、ボルト（図示せず）等により、基台１３の上面に固定されている。
【００４４】
第１回路基板３ａ，３ｄの右端近傍は、固定板１４ａの載置面に、ボルト（図示せず）等により固定されている。第２回路基板９ｅ，９ｊは、固定板１４ａの垂直面に、ボルト（図示せず）等により固定されている。
【００４５】
固定板１４ａにおいて、横方向（Ｘ１Ｘ２方向）に延在する水平部１５ａが形成されている。即ち、装飾表示部１２を構成する複数の発光素子１０ｅ，１０ｊの上方を覆う様に固定板１４ａには、遮光性の水平部１５ａが設けられている。
【００４６】
固定板１４ｂ（図示せず）は遮光性の材質（例えば、金属板等）からなり、側方（Ｘ２方向）において、ボルト（図示せず）等により、基台１３の上面の固定されている。第１回路基板３ｃ，３ｆの左端近傍は、固定板１４ｂの載置面に、ボルト（図示せず）等により、固定されている。第２回路基板９ａ，９ｆは、固定板１４ｂの垂直面に、ボルト（図示せず）等により、固定されている。固定板１４ｂにおいて、横方向（Ｘ１Ｘ２方向）に延在する水平部１５ｂが形成されている。即ち、装飾表示部１２を構成する複数の発光素子１０ａ，１０ｆの上方を覆う様に、固定板１４ｂには、遮光性の水平部１５ｂが設けられている。
【００４７】
固定板１４ｃ（図示せず）は遮光性の材質（例えば、金属板等）からなり、側方（Ｘ３方向）において、ボルト（図示せず）等により、基台１３の上面の固定されている。第１回路基板３ｃ，３ｂ，３ａの端近傍は、固定板１４ｃの載置面に、ボルト（図示せず）等により、固定されている。第２回路基板９ｂ，９ｃ，９ｄは、固定板１４ｃの垂直面に、ボルト（図示せず）等により、固定されている。固定板１４ｃにおいて、横方向（Ｘ３Ｘ４方向）に延在する水平部１５ｃが形成されている。即ち、装飾表示部１２を構成する複数の発光素子１０ｂ，１０ｃ，１０ｄの上方を覆う様に、固定板１４ｃには、遮光性の水平部１５ｃが設けられている。
【００４８】
固定板１４ｄ（図示せず）は遮光性の材質（例えば、金属板等）からなり、側方（Ｘ４方向）において、ボルト（図示せず）等により、基台１３の上面の固定されている。第１回路基板３ｆ，３ｅ，３ｄの端近傍は、固定板１４ｄの載置面に、ボルト（図示せず）等により、固定されている。第２回路基板９ｇ，９ｈ，９ｉは、固定板１４ｄの垂直面にボルト（図示せず）等により、固定されている。固定板１４ｄにおいて、横方向（Ｘ３Ｘ４方向）に延在する水平部１５ｄが形成されている。即ち、装飾表示部１２を構成する複数の発光素子１０ｇ，１０ｈ，１０ｉの上方を覆う様に、固定板１４ｄには、遮光性の水平部１５ｄが設けられている。
【００４９】
この様に、情報表示部７の複数の発光素子５ａ〜５ｆを固定する第１回路基板３ａ〜３ｆが設けられている。装飾表示部１２の複数の発光素子１０ａ〜１０ｊを固定する第２回路基板９ａ〜９ｊが設けられている。両基板３ａ〜３ｆと、９ａ〜９ｊは共に固定板１４ａ〜１４ｄに固定されている。固定板１４ａ〜１４ｄは、基台１３に固定されている。
【００５０】
カバー１６は例えば、上カバー１７と、下カバー１８と、横カバー１９，２０，２１，２２と、隅カバー２３，２４，２５，２６等からなる。上記部品１７〜２６は例えば、アクリル樹脂等の透明な材質からなる。
【００５１】
下カバー１８はボルト（図示せず）等により、基台１３の底面に固定されている。上カバー１７は例えば、平坦な中央部１７ａが形成されている。端部近傍は、端部に行く程、高さが低くなる様に、曲線部１７ｂが形成されている。曲線部１７ｂにつながる水平部分１７ｃは、水平方向（横方向Ｘ１Ｘ２）に延在する様に形成されている。
【００５２】
横カバー１９，２０，２１，２２は、略コ字状に形成され、上方向（Ｙ１方向）に、傾斜した側面２７が形成されている。この側面２７は、周囲（外側）に行く程、高さが高くなる様に形成されている（図２参照）。側面２７につながる水平部分２８は、水平方向（横方向Ｘ１Ｘ２）に延在する様に形成されている。横カバー１９，２０，２１，２２の下側も、水平部分２９が形成されている。
【００５３】
隅カバー２３，２４，２５，２６は断面形状が横カバー１９と同一に形成されている。隅カバー２３は、横カバー１９と２０をつなぐ様に構成されている。隅カバー２４は、横カバー２０と２１をつなぐ様に構成されている。隅カバー２５は、横カバー２１と２２をつなぐ様に構成されている。隅カバー２６は、横カバー２２と１９をつなぐ様に構成されている。
【００５４】
この様に、横カバー１９，２０，２１，２２に設けられた水平部分２８は、上カバー１７に設けられた水平部分１７ｃの中に密着して挿入されている。横カバー１９，２０，２１，２２に設けられた水平部分２９は、下カバー１８の端部近傍の中に密着して挿入されている。
【００５５】
この様にして、上カバー１７と、下カバー１８と、横カバー１９，２０，２１，２２と隅カバー２３，２４，２５，２６等により閉じられた空間が構成されている。また、望ましくは、横カバー１９，２０，２１，２２と上カバー１７との上記密着部分および、横カバー１９〜２２と下カバー１８との上記密着部分に、パッキンまたはシール材等が設けられる。
【００５６】
上記構成により、上記閉じられた空間は、密着状態となり、防水対策が施される。また上述した様に、基台１３と、固定板１４ａ，１４ｂ，１４ｃ，１４ｄは、カバー１６内に配置されている。
【００５７】
装飾表示部１２を構成する複数の発光素子１０ｅと１０ｊからの光は、上カバー１７の曲線部１７ｂを透過する。その透過光は、横カバー１９に設けられた斜めの側面２７にて反射され、上方（Ｙ１方向）に向かう様に構成されている。
【００５８】
装飾表示部１２を構成する複数の発光素子１０ｂと１０ｃと１０ｄからの光は、上カバー１７の曲線部１７ｂを透過する。その透過光は、横カバー２０に設けられた斜めの側面２７にて反射され、上方（Ｙ１方向）に向かう様に構成されている。
【００５９】
装飾表示部１２を構成する複数の発光素子１０ａと１０ｆからの光は、上カバー１７の曲線部１７ｂを透過する。その透過光は、横カバー２１に設けられた斜めの側面２７にて反射され、上方（Ｙ１方向）に向かう様に構成されている。
【００６０】
装飾表示部１２を構成する複数の発光素子１０ｇと１０ｈと１０ｉからの光は、上カバー１７の曲線部１７ｂを透過する。その透過光は、横カバー２２に設けられた斜めの側面２７にて反射され、上方（Ｙ１方向）に向かう様に構成されている。
【００６１】
上述した様に、カバー１６は情報表示部１７を覆い、装飾表示部１２を覆い、透明な材質からなる。上カバー１７の曲線部１７ｂと、横カバー１９，２０，２１，２２の各側面２７とにより、Ｖ字溝３０が構成されている。
【００６２】
このＶ字溝３０は正面から見れば、装飾表示部１２の外周に位置する様に形成され、断面して見れば（図２参照）、Ｖ字状になる様に形成されている。上記構成により、装飾表示部１２を構成する複数の発光素子１０ａ，１０ｂ，１０ｃ，１０ｄ，１０ｅ，１０ｆ，１０ｇ，１０ｈ，１０ｉ，１０ｊからの光は、Ｖ字溝３０の傾斜した側面２７にて反射され、上方（Ｙ１方向）に向かう様に、構成されている。
【００６３】
次に、主に図４に従い、制御部３１の説明する。制御部３１は例えば、点灯制御回路３２と、ＣＰＵ３３と、ＲＡＭ３４と、ＦＯＮＴ  ＲＯＭ３５と、ＲＡＭ３６と、インターフェース３７等からなる。
【００６４】
点灯制御回路３２の入力側はＣＰＵ３３に接続され、出力側は各々、ドライバ４ａと４ｄに接続されている。点灯制御回路３２は、入力されたデータ信号Ｄを、データ信号Ｄ１とＤ４に分割し、各々、ドライバ４ａ、４ｄへ出力するものである。
【００６５】
ＣＰＵ３３は中央演算装置であり、各部品３２，３４，３５，３６，３７を制御する。ＲＯＭ３４はフラッシュロムであり、ＣＰＵ３３の制御プログラムと、後述の表示データを記憶している。ＦＯＮＴ  ＲＯＭ３５は、各種の文字データを記憶している。
【００６６】
ＲＡＭ３６はランダムアクセスメモリであり、この電光表示装置１の動作に必要なデータを記憶している。インターフェース３７は、外部部品とＣＰＵ３３との間で、信号等の授受を行う。
【００６７】
ＩＣカード３８は例えば、電光表示装置１に表示すべきデータが書き込まれている。制御回路３９は、ＩＣカード３８に書き込まれた表示データを読み取り、インターフェース３７へ出力するものである。
【００６８】
リモコン４０は、テンキーや機能キーと、赤外線放射部等を有しており、表示データを赤外線に変換し、出力するものである。制御回路４１は、リモコン４０から放射された赤外線から表示データを読み取り、インターフェース３７へ出力するものである。以上の部品により、この電光表示装置１は構成されている。
【００６９】
次に、再び、図１ないし図４に従い、電光表示装置１の動作を説明する。最初に、例えば、ユーザは、ＩＣカード３８を制御回路３９内の挿入口に挿入するものとする。制御回路３９は、ＩＣカード３８から表示データを読取り、インターフェース３７へ出力する。インターフェース３７はＣＰＵ３３を介して、ＲＯＭ３４に対して、表示データを出力する。
【００７０】
表示データは例えば、情報表示部７にて表示される文章（例えば、いらっしゃい）と、その文章の表示形態（例えば、フラッシュ表示等）と、装飾表示部１２にて表示される表示形態（例えば、ランニング表示等）と、表示色データ等から構成されている。
【００７１】
ＣＰＵ３３は、入力された上記表示データに従い、ＦＯＮＴ  ＲＯＭ３５と、ＲＡＭ３６等を用いて、データ信号Ｄを生成し、点灯制御回路３２に対し、出力する。点灯制御回路３２は、このデータ信号Ｄを２分割し、ドライバ４ａに対し、データ信号Ｄ１を出力しドライバ４ｄに対し、データ信号Ｄ４を出力する。
【００７２】
この様にして、ドライバ４ａ，４ｂ，４ｃに対し、各々データ信号Ｄ１，Ｄ２，Ｄ３が供給される。また、駆動回路１１ａ，１１ｂ，１１ｃ，１１ｄ，１１ｅに対し、各々、データ信号Ｄ７，Ｄ８，Ｄ９，Ｄ１０，Ｄ１１が供給される。
【００７３】
同様にして、ドライバ４ｄ，４ｅ，４ｆに対し、各々、データ信号Ｄ４，Ｄ５，Ｄ６が供給される。また、駆動回路１１ｆ，１１ｇ，１１ｈ，１１ｉ，１１ｊに対し、各々、データ信号Ｄ１２，Ｄ１３，Ｄ１４，Ｄ１５，Ｄ１６が供給される。
【００７４】
その結果、情報表示部７を構成する表示部２ｃ，２ｂ，２ａ，２ｆ，２ｅ，２ｄにおいて、「いらっしゃい」が、フラッシュ表示（点灯と消灯を繰り返す）される。
【００７５】
また、装飾表示部１２を構成する表示部８ａ，８ｂ，８ｃ，８ｄ，８ｅ，８ｊ，８ｉ，８ｈ，８ｇ，８ｆにおいて、各発光素子１０ａ，１０ｂ，１０ｃ，１０ｄ，１０ｅ，１０ｊ，１０ｉ，１０ｈ，１０ｇ，１０ｆがランニング表示される。即ち、各発光素子１０ａ〜１０ｆが順番に点灯されるので、あたかも、カバー１６の周辺で、つながった（一連）表示の様に見える。
【図面の簡単な説明】
【００７６】
【図１】本発明を実施するための最良の形態に係る電光表示装置１の正面図である。
【図２】図１のＡ１Ａ２断面図である。
【図３】上記電光表示装置１のブロック図である。
【図４】上記電光表示装置１に用いられる制御部３１及びその周辺部品のブロック図である。
【符号の説明】
【００７７】
５ａ〜５ｆ  発光素子
７  情報表示部
８ａ〜８ｊ  発光素子
１２  装飾表示部
【図１】
2005181666.tif 000003
【図２】
2005181666.tif 000004
【図３】
2005181666.tif 000005
【図４】
2005181666.tif 000006